(57)【要約】【課題】製造過程で共振周波数を調整することができる電磁型アクチュエータを提供する。【解決手段】マグネット７と、マグネット７に装着したポールピース９と、ヨーク３１と、スプリング１７と共にヨーク３１に固着した分銅１１と、外側端子５１と内側端子５２を備えたベース１３と、ベース１３に装着したコイル３と、スプリング１７をベース１３に押付けるスプリングカバー６１とを備えた電磁型アクチュエータ１において、スプリング１７の外端１７ｂをスライド可能に固定し、共振周波数を調整後に最終固定する。【選択図】      図１
2004195444.tif 000002
【特許請求の範囲】
【請求項１】
マグネットと、マグネットに装着したポールピースと、ポールピースと対向するヨークと、ヨークに装着した分銅と、分銅をその内端で支えるスプリングと、外側端子と内側端子を装着したベースと、ベースに装着したコイルと、ベースにスプリングの外端を押付けるスプリングカバーとを備え、ポールピースとヨークが対向するギャップにコイルを配置し、内側端子および外側端子からコイルに交流電流を印加することによって分銅が振動する電磁型アクチュエータにおいて、
スプリングの外端をスライド可能に固定し、共振周波数を調整後に最終固定することを特徴とする電磁型アクチュエータ。
【請求項２】
スプリングの外端は、その最端部がベースに設けた溝を貫通して露出し、最端部をスライドさせることによって共振周波数を調整することを特徴とする請求項１に記載の電磁型アクチュエータ。
【請求項３】
外側端子と内側端子は、同一平面上の底面となるようにベースに勘合固定することを特徴とする請求項１乃至２のいずれかに記載の電磁型アクチュエータ。
【発明の詳細な説明】
【０００１】
【発明の属する技術分野】
本発明は、携帯電話やポケットベル等に用いられ、信号着信時の呼び出しを振動によって知らせるための電磁型アクチュエータに関する。
【０００２】
【従来の技術】
この種の電磁型アクチュエータとしては、ＷＯ９９／３９８４３に開示されているものが知られている。この電磁型アクチュエータを図３に示す。図３に示すように、電磁型アクチュエータ１００は、ケース１０１内において、ヨーク１０３の溝部内にマグネット１０５を配置し、溝部内においてマグネット１０５とギャップを経て位置し且つダイヤフラム１０７に取り付けられたコイル１０９を設けており、ヨーク１０３は、筐体１０１の側面に平行に配置された上下の振動板１１１、１１３によって支持されている。コイル１０９に低周波電流を印加することにより、振動板１１１，１１３の作用によってヨーク１０３が振動し、コイル１０９に高周波電流を印加することにより、ダイヤフラム１０７を振動させて高周波音を発生させる。また、ケース１０１から内側径方向に向かって鍔１１５を配置し、ヨーク１０３の振動方向を上下方向に規制している。
【０００３】
【発明が解決しようとする課題】
しかし、上述の技術では、ヨーク１０３の重量及び振動板１１１、１１３の寸法のバラツキによって、共振周波数にバラツキが発生するという課題がある。
【０００４】
そこで、本発明は、製造過程で共振周波数を調整することができ且つ、自動半田槽を通過させることでプリント基板に半田付できる電磁型アクチュエータを提供することを目的とする。
【０００５】
【課題を解決するための手段】
請求項１に記載の発明は、マグネットと、マグネットに装着したポールピースと、ポールピースと対向するヨークと、ヨークに装着した分銅と、分銅をその内端で支えるスプリングと、外側端子と内側端子を装着したベースと、ベースに装着したコイルと、ベースにスプリングの外端を押付けるスプリングカバーとを備え、ポールピースとヨークが対向するギャップにコイルを配置し、内側端子および外側端子からコイルに交流電流を印加することによって分銅が振動する電磁型アクチュエータにおいて、
スプリングの外端をスライド可能に固定し、共振周波数を調整後に最終固定することを特徴とする。
【０００６】
この請求項１に記載の発明では、スプリングの外端をスライド可能に固定し、共振周波数を調整後に最終固定することにより、組立過程で共振周波数を調整することができるので、共振周波数のバラツキを抑えることができる。
【０００７】
請求項２に記載の発明は、請求項１に記載の発明において、スプリングの外端は、その最端部がベースに設けた溝を貫通して露出し、最端部をスライドさせることによって共振周波数を調整することを特徴とする。
【０００８】
この請求項２に記載の発明では、請求項１に記載の発明と同様な作用効果を奏するとともに、最終製造工程で共振周波数を調整することができるので、調整工程を簡素化することができる。
【０００９】
請求項３に記載の発明は、請求項１乃至２のいずれかに記載の発明において、外側端子と内側端子は、同一平面上の底面となるようにベースに勘合固定することを特徴とする。
【００１０】
この請求項３に記載の発明では、請求項１乃至２のいずれかに記載の発明と同様な作用効果を奏するとともに、外側端子と内側端子を同一平面上の底面とするので、自動半田槽を通過させることでプリント基板に半田付することができる。
【００１１】
【発明の実施の形態】
以下、添付した図面を参照しながら本発明の実施の形態を詳細に説明する。図１は、本発明に係る電磁型アクチュエータを示す断面図であり、図２は、図１の電磁型アクチュエータの分解斜視図である。図１に示す電磁型アクチュエータ１は、携帯電話を通して着信した情報を振動により、携帯者に知らせるものである。
【００１２】
電磁型アクチュエータ１は、マグネット７と、ポールピース９と、ヨーク３１と、スプリング１７の内端１７ａと共にヨーク３１に固着した分銅１１と、導電体である外側端子５１と内側端子５２を備えたベース１３と、ベース１３の起立部１３ａに装着したコイル３と、スプリング１７の外端１７ｂをベース１３に押付けるスプリングカバー６１と、これらを収納するカバー１４とを備えている。コイル３は、外側端子５１と内側端子５２に接続されており、交流電流を印加することにより、分銅１１が、図１中の上下方向に振動するようになっている。尚、本明細書においては、上及び下の文言を便宜上使用するが、これは上下方向を特定するものではない。
【００１３】
円板形マグネット７は上下方向に磁化され、片端（例えば、Ｓ極）にポールピース９を固着（接着）し、片端（例えば、Ｎ極）はヨーク３１の中央に固着（接着）する。
【００１４】
スプリング１７は、ステンレス等の金属材を用いた板バネであり、内端１７ａには円周方向３個所に切欠きを設け、分銅１１の内周に設けた３個所の突部と勘合する。分銅１１の円周部１１ａをヨーク３１の外壁３１ａの外面に接着固定すると共に、ヨーク３１の外周に設けた耳部３１ｂはスプリング１７の内端１７ａを分銅１１との間に挟み込んで固定する。スプリング１７の外端１７ｂは、端部で下方に伸びた最端部１７ｂ１（３個所）を備えている。
【００１５】
ベース１３は樹脂成形品であり、中央には上方に立上がる起立部１３ａを備え、下方底部の中央は内側端子５２と勘合（圧入）し、外周には外側端子５１を装着固定する。外側端子５１と内側端子５２は導電性金属材であり、底部は外部プリント基板と接続され、内部ではコイル３に接続して交流電流が印加される。内側端子５２は円形であり、外側端子５１はドーナッツ平板形であり、ベース１３に勘合装着されると電磁型アクチュエータ１の底面を構成し、この底面は同一平面上に位置する。
【００１６】
コイル３を起立部１３ａの外周面に装着し、コイル３の一方のリード線は起立部１３ａに設けたスリットを経由して内側端子５２の内面（上面）に半田付する。外側端子５１の外周部分（１箇所）は上方に起立して、ベース１３を貫通している。コイル３の他方のリード線は、ベース１３の上面に沿って、この起立部分に半田付する。
【００１７】
分銅１１、ヨーク３１及びマグネット７とポールピース９を固着したスプリング１７は、その最端部１７ｂ１をベース１３に設けた溝１３ｂ（３個所）を貫通させながら、ベース１３に嵌め込まれる。溝１３ｂは円周方向（角度方向）に約１０度の幅で設けている。
【００１８】
リング形状で金属製のスプリングカバー６１は、上部に内側に張出した押さえ６１ａ（３個所）を備え、側面には孔６１ｂ（３個所）を設けている。孔６１ｂは、ベース１３に設けた突起と勘合する。スプリングカバー６１をベース１３と勘合させながら嵌め込むことにより、押さえ６１ａはスプリング１７の外端１７ｂをベース１３に対して押付けて押さえる。
【００１９】
カバー１４は、ベース１３の最外周部分と勘合して全体を上部から覆う。底部は、ベース１３と外側端子５１及び、内側端子５２で覆われ、外周部分の溝１３ｂ（３個所）からは、スプリング１７の最端部１７ｂ１（３個所）が飛出している。
【００２０】
スプリング１７のバネ定数と、分銅１１及びヨーク３１、マグネット７、ポールピース９から成る全体質量は、機械的振動系を構成し、共振周波数はコイル３に印加される交流電流の周波数と一致させることが望ましい。
【００２１】
分銅１１は、タングステン等の高比重材の粉末を焼結して成形しており、コイル３に交流電流が印加されると電磁力が作用し、ヨーク３１に固着された分銅１１は上下方向に振動する。上下の振動振幅を確保するため、ヨーク３１の上面とカバー１４の間、ポールピース９の下面とベース１３の間及びヨーク３１の耳部３１ｂの下面と外側端子５１との間にはスペースを持たせると共に、分銅１１の外周には３個所の肉逃げ１１ｂを設けている。
【００２２】
スプリング１７の外端１７ｂは押さえ６１ａで押さえられているものの、底部に飛び出た最端部１７ｂ１を溝１３ｂに沿って円周方向（角度方向）にスライドさせると、外端１７ｂは回転し、同時に内端１７ａに固着されている分銅１１とヨーク３１も回転する。尚、内端１７ａは、分銅１１の突部と勘合して挟み込まれているので、回転方向に強く固定されている。
【００２３】
製造工程の中では、外側端子５１及び内側端子５２に外部から単一周波数の交流電流を印加して振動量を計測する。印加電流の周波数を変化させると、振動系の共振特性に従って振動量が変化する。同様に、最端部１７ｂ１をスライドさせると、外端１７ｂの押さえ６１ａまでの長さが変化するので、振動系の共振周波数が変化する。スライドによる変化量は、主に分銅１１の重量のバラツキとスプリング１７の寸法のバラツキをカバーすれば良いので微少で良い。
【００２４】
この様に、単一周波数の交流電流を印加して振動量を計測しながら、最端部１７ｂ１をスライドさせることにより、振動系を所定の共振周波数に調整することができる。調整後、最端部１７ｂ１の飛び出た個所は切断し、溝１３ｂの個所にて、接着剤で固定する。
【００２５】
次に、上述した構成と製造工程に基づき、本実施の形態の作用を説明する。
【００２６】
電磁型アクチュエータ１は、携帯電話等のプリント基板に搭載され、プリント基板から単一周波数の交流電流が供給されると、その周波数で共振して振動し、携帯者に着信等の情報を知らせる。振動系の共振周波数は、スプリング１７のバネ定数と分銅１１等の全体質量で決定される。
【００２７】
製造上不可避のバラツキによって、個々の電磁型アクチュエータ１は共振周波数にバラツキを持つので、そのままではバラツキ分だけ振動量が減少する。
【００２８】
本実施の形態では、スプリング１７の最端部１７ｂ１をスライドさせることにより、振動系の共振周波数を所定の値に調整することができるので、製造ラインから得られる総ての電磁型アクチュエータ１の共振周波数を一致させて、最大の振動量を出力させることがでできる。
【００２９】
また、本実施の形態では、電磁型アクチュエータ１の最終製造工程となる振動量の計測状態で共振周波数を調整することができるので、工程が複雑化することを避けることができる。同時に、最端部１７ｂ１は、単にスプリング１７の端部を延長しただけなので、安価に実現できると共に、調整は単純なスライド操作なので、作業は簡便に行うことができる。
【００３０】
更に、本実施の形態では、ベース１３に勘合固定される外側端子５１と内側端子５２は、同一平面上の底面となるので、携帯電話等のプリント基板の交流電流供給用パターンにクリーム半田等を介して搭載し、自動半田槽を通過させれば、手作業なしで容易にプリント基板への固定と接続を行なうことができる。
【００３１】
尚、本発明の実施の形態では、振動アクチュエータについて説明したが、これに限定されるものではなく、振動と音の両者を発生する電磁型アクチュエータについても有効に適用できることは言うまでもない。
【００３２】
【発明の効果】
請求項１に記載の発明では、組立過程で共振周波数を調整することができるので、共振周波数のバラツキを抑えて大きな振動量を得ることができる。
【００３３】
請求項２に記載の発明では、請求項１に記載の発明と同様な効果を奏するとともに、最終製造工程で共振周波数を調整することができるので、調整工程を簡便化できると共に、製造コストを低減することができる。
【００３４】
請求項３に記載の発明では、請求項１乃至２のいずれかに記載の発明と同様な効果を奏するとともに、自動半田槽を通過させることによってプリント基板への固定と接続を行なうことができる。
【図面の簡単な説明】
【図１】本発明の実施の形態に係る電磁型アクチュエータを示す断面図である。
【図２】図１の電磁型アクチュエータの分解斜視図である。
【図３】従来に係る電磁型アクチュエータを示す断面図である。
【符号の説明】
１      電磁型アクチュエータ
３      コイル
７      マグネット
９      ポールピース
１１    分銅
１３    ベース
１４    カバー
１７    スプリング
３１    ヨーク
５１    外側端子
５２    内側端子
６１    スプリングカバー
【図１】
2004195444.tif 000003
【図３】
2004195444.tif 000004
【図２】
2004195444.tif 000005